(57)【要約】 【課題】  偏向装置の各面のばらつきに起因する局所的な主走査位置のずれによる画像ゆらぎを防止する。【解決手段】  画像信号に応じて変調された光ビ−ムを複数の変更面を備え回転するポリゴンミラー２によって感光体１０の被走査面に潜像を書き込む光書き込み装置において、ポリゴンミラー２の各偏向面毎の有効走査範囲内の局所的な主走査位置のずれ量を予め主走査位置毎に記憶する主走査位置ずれ記憶装置６と、この主走査位置ずれ記憶装置６に記憶されたずれ量にしたがって各走査面毎にビ−ム書き出し位置を主走査位置ごとに局所的に変更する位相変更回路７とを備えた。【選択図】  図１
2005208323.tif 000002
【特許請求の範囲】
【請求項１】
複数の光偏向面を備えて回転する光偏向走査手段によって画像信号に応じて変調された光ビ−ムを偏向走査する光書き込み装置において、
前記光偏向走査手段の１回転内の基準位置を検出するための基準位置検出手段と、
前記光ビームの書き込み位置の同期を取るための同期検知手段と、
前記光偏向走査手段の前記各光偏向面毎の有効走査範囲内の局所的な主走査位置のずれ量を予め主走査位置毎に記憶する記憶手段と、
前記記憶手段に記憶された前記ずれ量にしたがって各走査面毎にビ−ム書き出し位置を主走査位置ごとに局所的に変更する変更手段と、
を備えていることを特徴とする光書き込み装置。
【請求項２】
前記記憶手段は、走査倍率および／または光ビームの位置ずれ量を記録することを特徴とする請求項１記載の光書き込み装置。
【請求項３】
前記変更手段は、各走査面毎の光ビームの書き出し位置、画素周波数および位相のうちの少なくとも１つを局所的に変更することを特徴とする請求項１記載の光書き込み装置。
【請求項４】
前記変更手段は、画像クロックおよび画像データの位相を変更することを特徴とする請求項１記載に光書き込み装置。
【請求項５】
前記位相の変更は、主走査位置に応じてディレイ量を変更することにより行われることを特徴とする請求項４記載の光書き込み装置。
【請求項６】
請求項１ないし５のいずれか１項に記載の光書き込み装置と、
前記光書き込み装置によって像担持体上に書き込まれた画像を記録媒体上に可視画像として出力する画像形成手段と、
を備えていることを特徴とする画像形成装置。
【請求項７】
前記光書き込み装置が、複数のレーザ光源から出射される複数の光ビームを偏向走査し、当該光ビームを主走査方向でつなぎ合わせることを特徴とする請求項６記載の画像形成装置。
【請求項８】
前記レーザ光源は２つであり、これらレーザ光源からの光ビームは順方向につなぎ合わされていることを特徴とする請求項７記載の画像形成装置。
【請求項９】
前記レーザ光源は２つであり、これらレーザ光源からの光ビームは主走査方向の略中央部からお互いに反対方向に走査されることを特徴とする請求項７記載の画像形成装置。
【請求項１０】
前記光書き込み装置が、複数のレーザビームから出射される複数の光ビームを副走査方向に任意の距離で平行に偏向走査することを特徴とする請求項６記載の画像形成装置。
【発明の詳細な説明】
【技術分野】
【０００１】
本発明は、光偏向装置により偏向される光ビームを走査して光書き込みを行う光書き込み装置およびこの光書き込み装置により像担持体に潜像を形成し、記録媒体上に可視画像を形成する画像形成装置に関する。
【背景技術】
【０００２】
画像信号に応じて変調された光ビームによって光学系を介してポリゴンミラーのような偏向装置により像担持体である感光体の被走査面を走査して画像記録を行う光書き込み装置は、デジタル複写機やファクシミリの書き込み部あるいは光プリンタに広く使用されている。このような光書き込み装置としては、例えば特許文献１に示すように、２組の光走査光学系を組み合わせ、各光走査光学系を主走査方向に繋ぎあわせて、幅の広い走査書き込み領域を作るようにした分割走査方式と称される光書き込み装置や、例えば特許文献２に示すように、複数の感光体に別々に独立したレーザビームを用いて走査することにより異なった色の現像剤で現像して、転写紙などの記録媒体上で重ね合わせて多色画像を形成するタンデム方式と称される光書き込み装置や、例えば特許文献３に示すように、単体の感光体に別々のレーザビームを照射して多色の画像を得るようにした単一感光体による複数走査方式と称される光書き込み装置などがあり、それら光書き込み装置を用いた画像形成装置も実用化されている。
【０００３】
上述した３つの方式において、同一の課題として偏向装置であるポリゴンミラーの偏向面の精度や、偏向装置の回転中心軸の誤差等によって、各偏向面毎に走査倍率がばらついてしまうと言う問題点がある。この走査倍率のばらつきは、特に画像先端側の同期検知側では影響が少ないが、同期検知側から走査方向に離れるに従って影響が大きくなる。特に走査方向の後端側で影響が大きくなり画像のゆらぎとして悪影響をおよぼす。又、走査レンズの面精度、屈折率分布の不均一性などによっても、画像の先後端だけでなく画像中央部で局部的な倍率誤差がレンズ毎に発生することがある。特に上述のタンデム方式や上述の単一感光体による複数走査方式などの書込み光学系においては、位置ずれとなってしまう。位置ずれが顕著になると、色ムラなどが発生し画像を劣化させる欠点がある。
【０００４】
一方、上述の分割走査方式は、上述した特許文献１に示されるように、画像中央からそれぞれ書き出しを開始し、お互いに反対方向に走査して長尺の書き込みを行うタイプのものと、特許文献４に示されるように、お互いの走査方向が同じで、一方の走査終端と他方の走査開始端をつなぎ合わせるタイプのものと２つの方式がある。どちらの方式にしても、それぞれの書き込み終端側で画像ゆらぎが発生する量は同じであるが、前者は、比較的ゆらぎの少ない書き込み先端側で画像がつなぎ合わせられるのに対し、後者のタイプの場合は、画像ゆらぎの最も大きくなる書き込み後端と、比較的ゆらぎの少ない書き込み先端で画像がつなぎ合わせられるため、繋ぎ目の性能が前者に比べて悪くなる欠点がある。
【０００５】
また、上述の第２のタンデム方式においても、上述した特許文献２のようにお互いに反対方向に走査されるタイプものと、特許文献５に示されるように、各色ごとに独立した書き込みユニットで同一方向に走査するタイプのものとがある。前者の反対方向に走査して多色画像を得るタイプの画像形成装置においては、同期側と画像後端側が異なる色で作像されるため、画像ゆらぎの大きい側と、比較的画像ゆらぎが少ない側とが半分ずつ重ね合わせられることになり、細線の色ずれ、ハ−フト−ン部の色むらを発生させてしまう。また、後者においては、同期検知側が各色とも同じであるので、書き込み開始側は比較的ゆらぎの少ない画像が得られるが、後端側では、それぞれの色でランダムにゆらぎが発生するため前者に比較して画像ゆらぎの悪影響が発生し易い。
【０００６】
さらに上述の単一感光体による複数走査方式においても、同様に順方向走査タイプのものと、反対走査タイプのとがあり、タンデム方式の場合と同様な問題点がある。
【０００７】
そこで、画像のゆらぎを防止するため、上述した特許文献５にはクロック信号の周波数を指定された画像全体の記録倍率に応じた周波数を基準として指定された画像の部分的な記録倍率に応じた変化幅で変化させるとともに、画像の記録位置を指定することが提案されている。また、画像ゆらぎを防止するため、特許文献６には高周波クロックを分周して、各偏向面毎に位相を変更した画素クロックを生成することが提案され、特許文献７にはＰＬＬル−プを用いたダイレクトシンセサイザ−により防止することが提案され、特許文献８には倍率に応じて変化させる画素クロックの周波数を変更し、倍率ごとに書き込み開始位置をセットすることが提案され、特許文献９には、レーザ光検出装置を露光開始位置と終了位置に配置し、計測値に応じて画素周波数を変更することが提案されている。
【特許文献１】特開２０００−２６７０２７号公報
【特許文献２】特開平６-１８７９６号公報
【特許文献３】特開平６-１００２号公報
【特許文献４】特開平３−１６３４７７号公報
【特許文献５】特開平１１−１９８４３５号公報
【特許文献６】特開２００２−３６６２６号公報
【特許文献７】特許第３１６６３１１号公報
【特許文献８】特開平９−１０９４４６号公報
【特許文献９】特開２００２−１６０３９８号公報
【発明の開示】
【発明が解決しようとする課題】
【０００８】
しかしながら特許文献６に記載された方法では、位相を変更する分解能倍の高周波クロックを必要とする。例えば、位相を１画素の１／ｎで可変にしたい場合は、画素クロックに対してｎ倍の高周波クロックが必要となる。具体的には、５０ＭＨｚの画素クロックで、位相を１画素の１／８で可変にする場合には、高周波クロックの周波数は５０×８＝４００ＭＨｚが必要となり、ＥＭＩ的にも電波が出やすい状況になり、回路的にも大規模にならざるを得ず、コスト高になる。また、位相変更の分解能を上げるためには、さらに高周波クロックが必要になると共に、回路が複雑になり、高コストになる。
【０００９】
また、特許文献７に記載された方式では、分解能を上げるためには、マスタ−クロックの周波数を高速にする必要があり、１チップ化を実現するためには困難が伴う。また、一旦位相誤差をＡＤ変換機にてアナログ電圧に変換して、アナログ的に加算してＰＬＬロ−プ内に供給する必要があり、ノイズの影響を受けやすく、補正の誤差が大きくなる。
【００１０】
さらに、特許文献５記載の発明はタンデム方式における光書き込み装置の改善であり、特許文献８および９記載の発明は分割走査方式の光書き込み装置における改善であり、それ以外の方式の光書き込み装置には適用できない。
【００１１】
本発明はこのような従来技術の実情に鑑みてなされたもので、その目的は、偏向装置の各面のばらつきに起因する局所的な主走査位置のずれによる画像ゆらぎを防止することにある。
【課題を解決するための手段】
【００１２】
前記目的を達成するため、第１の手段は、複数の光偏向面を備えて回転する光偏向走査手段によって画像信号に応じて変調された光ビ−ムを偏向走査する光書き込み装置において、前記光偏向走査手段の１回転内の基準位置を検出するための基準位置検出手段と、前記光ビームの書き込み位置の同期を取るための同期検知手段と、前記光偏向走査手段の前記各光偏向面毎の有効走査範囲内の局所的な主走査位置のずれ量を予め主走査位置毎に記憶する記憶手段と、前記記憶手段に記憶された前記ずれ量にしたがって各走査面毎にビ−ム書き出し位置を主走査位置ごとに局所的に変更する変更手段とを備えていることを特徴とする。
【００１３】
第２の手段は、第１の手段において、前記記憶手段が走査倍率および／または光ビームの位置ずれ量を記録することを特徴とする。
【００１４】
第３の手段は、第１の手段において、前記変更手段が各走査面毎の光ビームの書き出し位置、画素周波数および位相のうちの少なくとも１つを局所的に変更することを特徴とする。
【００１５】
第４の手段は、第１の手段において、前記変更手段が画像クロックおよび画像データの位相を変更することを特徴とする。
【００１６】
第５の手段は、第４の手段において、前記位相の変更が主走査位置に応じてディレイ量を変更することにより行われることを特徴とする。
【００１７】
第６の手段は、第１ないし第５のいずれかの手段に係る光書き込み装置と、前記光書き込み装置によって像担持体上に書き込まれた画像を記録媒体上に可視画像として出力する画像形成手段とを備えた画像形成装置を特徴とする。
【００１８】
第７の手段は、第６の手段において、前記光書き込み装置が、複数のレーザ光源から出射される複数の光ビームを偏向走査し、当該光ビームを前記像担持体上で主走査方向につなぎ合わせることを特徴とする。
【００１９】
第８の手段は、第７の手段において、前記レーザ光源は２つであり、これらレーザ光源からの光ビームは順方向につなぎ合わされていることを特徴とする。
【００２０】
第９の手段は、第７の手段において、前記レーザ光源は２つであり、これらレーザ光源からの光ビームは主走査方向の略中央部からお互いに反対方向に走査されることを特徴とする。
【００２１】
第１０の手段は、第６の手段において、前記光書き込み装置が、複数のレーザビームから出射される複数の光ビームを副走査方向に任意の距離で平行に偏向走査するタンデム型の光書き込み装置からなることを特徴とする。
【００２２】
なお、以下の実施形態において、基準位置検出手段はポリゴンモータに設けられた１回転毎の基準信号（ポリゴン回転基準位置信号）を検出する基準位置検出回路に、同期検知手段は先端同期検知ユニット４に、記憶手段は主走査位置ずれ記憶装置６に、変更手段は位相変更回路７にそれぞれ対応する。
【発明の効果】
【００２３】
本発明によれば、光偏向手段の各面の面精度、中心軸のばらつきに起因する画像後端の画像ゆらぎやビ−ムの位置ずれを、局所的に各面毎に変更しているので、低コストな簡単な回路構成で画像のゆらぎの発生を防止することができる。
【発明を実施するための最良の形態】
【００２４】
以下、図面を参照し、本発明を実施するための最良の形態について説明する。
【００２５】
＜第１の実施形態＞
図１は本発明に係る第１の実施形態に係る光書き込み装置の全体構成を示す図、図２は位相変更回路により位相を変更したときの像高とディレイ量との関係の一例を示す図、図３は位相変更回路により位相を変更したときの画素クロック周波数の変化を示す図である。
【００２６】
第１の実施形態における光書き込み装置は、レーザ光源１、回転多面鏡からなるポリゴンミラー２、走査レンズ３、先端同期検知ユニット４、走査面選択回路５、主走査位置ずれ記憶装置６、位相変更回路７、変調駆動回路８、画像制御回路（ビデオボード）９から構成される。レーザ光源１から出射された光束は、図示しないカップリングレンズによって概ね平行光にされ、更に図示しないシリンダーレンズによってポリゴンミラー２上に線状に結像される。次に、ポリゴンミラー２の回転によって主走査方向に走査され、走査レンズ３等を介して像担持体である感光体１０の被走査面上を走査する。この時、先端同期検知ユニット４によって光ビームの走査タイミングを検知し、画像先端の同期を取る。ポリゴンミラー２を回転駆動するポリゴンモータ（図示しない）は、１回転毎にポリゴン回転基準位置信号（Ｚ相パルスとも呼ばれる）を発生し、この基準位置信号を図示しない基準位置検出回路によって検出するように構成されている。ポリゴン回転基準位置信号の発生位置とポリゴンミラー２の面との位置関係は有効走査幅以外の回転位置で発生するのが回路の構成上望ましいが、製造上コスト高になってしまうため、任意の回転位置で発生してもかまわない。
【００２７】
ポリゴンモータからのポリゴン回転基準位置信号は走査面選択回路５に入力されるように接続され、この信号が入力されると、走査面選択回路５内部のカウンタがリセットされ、同期検知信号が入力されるとカウントアップされる。これにより、現在の走査面を特定することができる。特定された走査面の値は書き出し位置変更回路（図示しない）によって、順次読み出される。
【００２８】
主走査位置ずれ記憶装置６には、あらかじめ製造段階で測定されたポリゴンミラー２の各面ごとの局所的な主走査位置ずれ量が符号反転した値で記憶されている。この値の例を図７に示す。図７は、タンデム方式の光書き込み装置の各色毎に１つの走査レンズを有するタイプの場合の例における１つの走査レンズの各像高における主走査ドットずれを示したものである。図７の例では、１〜４個の走査レンズ毎に別々にドット位置ずれ量が記憶され、さらに像高（−１〜＋１）に応じて記憶されている。さらに１個の走査レンズに対して、ポリゴンミラーの各面毎に記憶している。図８はその時の像高と主走査ドットずれとの関係を示す図である。この例では、ポリゴンミラー２のミラー面での主走査位置のばらつきよりも、各走査レンズ３に起因するばらつきの方は大きいため、大きな傾向は走査レンズ３によってもたらされ、その上にポリゴンミラー２のミラー面によるばらつきが上乗せされた状態になっている。
【００２９】
また、この実施形態では、ドット位置ずれ量を直接主走査位置ずれ記憶装置６に記憶しているが、１ドットを３６０度とした位相で記憶しても良いし、局所的な倍率として記憶しても良い。
【００３０】
位相変更回路７では、ポリゴンミラー２の選択面に応じて、主走査位置ずれ記憶装置６から、像高ごとの位置ずれ量が読み出され、画素クロックに応じてクロックの位相をずらすことができる。図７の例では、像高−１〜＋１間で７ヶ所の記憶であるが、全走査幅を８分割して位相ずらし量を設定しても良いし、中間の値をスプライン補間等の補完処理を行って１画素ごとに位相ずらし量を設定しても良い。
【００３１】
位相変更回路７は例えばディレイ回路で構成されており、デジタルデータに対してリニアにディレイをかけることができる。先端同期検知ユニット４からの同期検知信号によって走査選択面が変更されると、主走査位置ずれ記憶装置６から、位相変更回路７に送られるディレイ値が切り替わり、画像制御回路９からの画素クロックおよび画像データの位相を変更することができる。ここでは、ディレイ素子を用いて位相を変更しているので、上述した特許文献６のように高周波クロックを分周して位相をずらす必要もなく、非常に簡単に１画素以下のレベルで書き出し位置をずらすことができる。
【００３２】
図２はその時の像高毎のディレイ量の一例を示す図である。ディレイ量は走査位置に対して直線ではなく曲線的に動かすことか可能となり、走査レンズの屈折率のばらつきによる局部的な位置ずれを補正することが可能となる。図３はこの時の画素クロックの周波数の変化の様子を示している。
【００３３】
＜第２の実施形態＞
図４は第２の実施形態に係る光書き込み装置の全体構成を示す図である。この第２の実施形態に係る光書き込み装置は、２つの書き込み系によって走査される光ビームを主走査方向につないで、広幅の光書き込み装置とした順走査方式の光書き込み装置である。図５は第１と第２の光ビームのつなぎ目における画像のゆらぎを説明するための図、図６は第１と第２の光ビームのつなぎ目のゆらぎを補正した状態を説明するための図である。
【００３４】
図４に示すように、全く同じ構成の第１および第２書き込み系によって感光体１０の被走査面を主走査方向に半分ずつ走査するように構成されている。走査は同一方向に回転するポリゴンミラー２ａ，２ｂによって順方向に繋ぐように構成されている。なお、図４においては、ポリゴンミラー２、走査レンズ３、先端同期検知ユニット４そして２組の書き込み系をつなぐために設けた走査方向の書き終わりである後端側を検知する後端同期検知センサ１１については２組を図示しているが、画像補正回路である走査面選択回路５、主走査位置ずれ記憶装置６、位相変更回路７、変調駆動回路８、画像制御回路９については、煩雑さを防ぐため第１の書き込み系のみ５ａ，６ａ，７ａ，８ａ，９ａとして図示し、第２の書き込み系用の画像補正回路などは省略しているが実際には同じものが設けられている。これらの画像補正回路などは、第１および第２の書き込み系で共用できるものは共用しても良い。なお、１２ａは倍率演算・平均処理回路である。
【００３５】
第１の書き込み系側の画像先端側では、図５に示すように比較的同期検知に近いため、ポリゴンミラー２ａの面のばらつきによる画像ゆらぎの影響は比較的少ないが、第１書き込み系および第２書き込み系のつなぎ目部である画像後端ではポリゴンミラーの１面毎の走査（１ライン走査）によるずれが１回転分周期的に繰り返すことになり、つなぎ目で画像ゆらぎが多くなる。一方、第２書き込み系では、つなぎ目部である画像先端ではゆらぎが少ないが、画像後端で画像ゆらぎが大きくなる。この順方向に繋ぐ方式の光書き込み装置では、つなぎ目部での画像ゆらぎは、図５に示すようにつなぎ目部において白筋あるいは黒筋となる。このような白筋あるいは黒筋の発生は画質劣化の大きな原因となり、画像品質上、致命的になる。
【００３６】
本実施形態では、このような方式の光書き込み装置に対し、上述したように画素クロックおよび画像データの位相を変更することにより、各面ごとの主走査位置を補正するようにした。これにより、図６に示すように画像先端および後端のビ−ム位置が一定となり、つなぎ目部の画像ゆらぎによる白筋あるいは黒筋の発生を防止することができる。また、画像中央部でのレンズ屈折率の不均一や温度勾配によるビ−ム位置のゆらぎも位相変更回路によって像高毎に補正することができ、ゆらぎを防止することができる。
【００３７】
その他、特に説明しない各部は前述の第１の実施形態と同等に構成され、同等に機能する。
【００３８】
＜第３の実施形態＞
図９は第３の実施形態に係る光書き込み装置の全体構成を示す図である。上述したように、第２の実施形態では、ポリゴンミラーを２個用いているが、この第３の実施形態では、ポリゴンミラー２が１つで、その２面を使用し、書き込み光学系を２系統とすることにより順方向走査の広幅光書き込み装置を構成している。
【００３９】
すなわち、この光書き込み装置は、１つのポリゴンミラー２と、感光体１０の被走査面の略半分を走査するためのレーザビームをポリゴンミラー２に照射するレーザ光源１ａとカップリングレンズ２１ａとシリンダレンズ２２ａと結像手段としてのｆθレンズを構成するレンズ２３ａ、２４ａなどから構成される第１の書き込み系Ｉ、感光体１０の被走査面の残り半分を走査するためのレーザ光源１ｂとカップリングレンズ２１ｂとシリンダレンズ２２ｂと結像手段としてのｆθレンズを構成するレンズ２３ｂ、２４ｂなどから構成される第２の書き込み系II、これら第１および第２の書き込み系Ｉ，IIからのビームを感光体１０の被走査面に反射させるための反射鏡２５とから構成されている。この光書き込み装置は、１つのポリゴンミラー２で走査を行っている以外は、上述した第２の実施形態と同様であり、第２の実施形態における画像補正回路を設けることにより、第１書き込み系Ｉによる画像後端部部と第２書き込み系IIの画像先端部とのつなぎ目に発生する画像の揺らぎを防止することができる。
【００４０】
＜第４の実施形態＞
図１０は第４の実施形態に係る光書き込み装置の全体構成を示す図である。この実施形態は、感光体の被走査面の中央部からのそれぞれ反対方向に走査する方式の光書き込み装置に関するものである。
【００４１】
この光書き込み装置も、第１書き込み系Ｉと第２書き込み系IIとを有する。第１書き込み系Ｉについて説明すると、レーザ光源１ａは画像信号に応じて強度変調されたレーザビームが射出される。射出されたレーザビームはコリメートレンズ２１ａのコリメート作用により平行ビームとされ、シリンダレンズ２２ａにより副走査方向にのみ収束傾向を与えられ、偏向手段としてのポリゴンミラー２の１つの偏向反射面近傍に、主走査方向に長い線像として結像する。ポリゴンミラー２の回転により等角速度的に偏向されたビームはレンズ２３ａを通過し、ミラー３１ａ，３２ａおよび折り返しミラー３３ａにより順次反射され、感光体１０の被走査面の半分にビームスポットを形成する。第２書き込み系IIは、第１書き込み系Ｉをポリゴンミラー２の回転軸を中心に１８０度回転させた位置に配置され、第１書き込み系Ｉと同様に、レーザ光源１ｂ、コリメートレンズ２１ｂ、シリンダレンズ２２ｂ、レンズ２３ｂ、２４ｂ、ミラー３１ｂ、３２ｂ、折り返しミラー３３ｂから構成され、感光体１０の被走査面の残り半分にビームスポットを形成する。レーザ光源１ｂからのレーザビームは、コリメートレンズ２１ｂにより平行ビームとされ、シリンダレンズ２２ｂにより副走査方向にのみ収束傾向を与えられて、ポリゴンミラー２の他の偏向反射面の近傍に主走査方向に長い線像として結像する。ポリゴンミラー２の回転により等角速度的に偏向されたビームは、結像手段としてのｆθレンズを構成するレンズ２３ｂ，２４ｂを通過し、ミラー３１ｂ，３２ｂおよび折り返しミラー３３ｂにより順次反射されて感光体１０の感光面上にビームスポットを形成し、感光体１０の第２走査領域を等速的に走査する。第１および第２書き込み系Ｉ、IIはそれぞれ先端同期検知ユニット４ａ，４ｂを有し、各先端同期検知ユニット４ａ，４ｂは各走査ビームの画像領域外に設けられ、１走査毎に書く走査ビームの走査開始のタイミングを決定する。この実施形態においても、上述した第２の実施形態と同様に、画像制御回路や画像補正回路を設けている。走査開始のタイミングは、画像制御回路によって決定されたタイミングにしたがい、書込開始位置から書込みを開始し、各走査ビームの主走査方向のつぎ目部分を、良好に整合させる。この光書き込み装置にも第２の実施形態における画像補正回路を設けることにより、第１書き込み系Ｉによる画像後端部部と第２書き込み系IIの画像先端部とのつなぎ目に発生する画像の揺らぎを防止することができる。
【００４２】
その他、特に説明しない各部は前述の第１および第３の実施形態と同等に構成され、同等に機能する。
【００４３】
＜第５の実施形態＞
図１１は第５の実施形態に係る光書き込み装置の全体構成を示す図である。この実施形態は、図１１に示すような４系統の独立した光学系により、それぞれ独立した感光体上に変調された光ビ−ムを走査する書き込み装置に関するものである。
【００４４】
すなわち、本実施形態は、図１１から分かるようにタンデム方式の光書き込み装置の例である。このタンデム方式の光書き込み装置は、４つの光ビ−ムの内２つずつ走査方向が反対から走査するタイプのものである。
【００４５】
光書き込み装置は、４つの感光体ドラム５１、５２、５３、５４が並設された作像部の斜め上方に配置されている。光書き込み装置は、４つのレーザ光源５５，５６，５７，５８と、これら各レーザ光源からの光ビームを対称な２方向に振り分けて偏向走査するポリゴンミラー５９と、このポリゴンミラー５９を中心にして２方向に対称に配設され、ポリゴンミラー５９により偏向される複数の光ビームをそれぞれ対応する感光体ドラム５１，５２，５３，５４の被走査面上に導き、結像するためのｆθレンズ６１，６２、結像用レンズ６３，６４，６５，６６、光路折り返し用のミラー６７，６８，６９、７１，７２，７３、７４，７５，７６、７７，７８，７９などの光学部材で構成された伝達・結像光学系を備えており、これらの構成要素はハウジング８０内に収納されている。ハウジング８０には、光ビームを通過させるための開口が設けられ、それらの開口には防塵ガラス８１が取り付けられている。ｆθレンズ６１，６２は、ｆθレンズ６１がレーザ光源５５，５６からの光ビームを結像し、ｆθレンズ６２がレーザ光源５７，５８からの光ビームを結像するように２層構造になっている。
【００４６】
この光書き込み装置は、原稿読取装置やパーソナルコンピュータ、ワードプロセッサ、ファクシミリの受信部などの画像データ出力装置から入力される色分解された画像データを光源駆動用の信号に変換し、それに従い各レーザ光源５５，５６，５７，５８から出射された光ビームは、ポリゴンミラー５９に至り、ポリゴンミラー５９で２ビームずつ対称的な２方向に偏向走査される。なお、図１１に示す構造ではポリゴンミラー５９は、レーザ光源５６と５７の光ビーム用と、レーザ光源５５と５８の光ビーム用の上下２段に分けた構造になっているが、１つの軸方向に厚いポリゴンミラーで、４つの光ビームを偏向走査する構成にしてもよい。ポリゴンミラー５９で２ビームずつ２方向に偏向走査された光ビームは、第１の結像用レンズであり、上下２層構造のｆθレンズ６１，６２をそれぞれ通過し、折り返しミラーにより折り返され、開口部を通過した後、例えば長尺トロイダルレンズから構成された第２の結像用レンズである結像用レンズ６３，６４，６５，６６を通過し、折り返しミラー、防塵ガラス８１を介して各色用の感光体ドラム５１，５２，５３，５４の被走査面上に照射され、静電潜像を書き込む。
【００４７】
光書込み装置５の４つの５２，５３，５４，５５は、図示していないが、それぞれ光源である半導体レーザ（ＬＤ）と、その半導体レーザの出射光束をコリメートするコリメートレンズから構成され、これらがホルダに一体に組み込まれた構造になっている。さらに、４つの光ビームの光路には、主走査方向の走査開始位置の光束を取り出すための図示しない同期検知用ミラーが設けられており、同期検知用ミラーで反射された光束は、図示しない同期検知器で受光されて走査開始の同期信号が出力される。
【００４８】
光書き込み装置により各感光体ドラム５１、５２、５３、５４に形成された各潜像は、各現像部のイエロー（Ｙ）、マゼンタ（Ｍ）、シアン（Ｃ）、ブラック（Ｂｋ）の各色のトナーで現像されて顕像化され、顕像化されたＹ、Ｍ、Ｃ、Ｂｋの各色のトナー画像は、図示しない転写装置によりた転写材に順次重ね合わせて転写される。それぞれの書き込み光学系に対し２の実施形態における画像補正回路を設けることにより光書き込み装置装置が適用されることで画像の先後端および走査域前面にわたって画像ゆらぎ、位置ずれがないカラー画像を得ることができる。
【００４９】
その他、特に説明しない各部は前述の第１の実施形態と同等に構成され、同等に機能する。
【図面の簡単な説明】
【００５０】
【図１】本発明の第１の実施形態に係る光書き込み装置の全体構成を示す図である。
【図２】位相変更回路により位相を変更したときの像高ごとのディレイ量の一例をグラフとして示す図である。
【図３】位相変更回路により位相を変更したときの画素クロック周波数の変化をグラフとして示す図である。
【図４】本発明の第２の実施形態に係る係る光書き込み装置の全体構成を示す図である。
【図５】第２の実施形態における第１と第２の光ビームのつなぎ目における画像のゆらぎを説明するための図である。
【図６】第１と第２の光ビームのつなぎ目のゆらぎを補正した状態を説明するための図である。
【図７】タンデム方式の光書き込み装置における各走査レンズの各像高に置ける主走査ドットずれを表として示す図である。
【図８】タンデム方式の光書き込み装置における各レンズおよび各ポリゴンミラーの面毎における主走査ドットずれをグラフとして示す図である。
【図９】本発明の第３の実施形態に係る光書き込み装置の概略構成を示す図である。
【図１０】本発明の第４の実施形態に係る光書き込み装置の概略構成を示す図である。
【図１１】本発明の第５の実施形態に係る光書き込み装置の概略構成を示す図である。
【符号の説明】
【００５１】
１，１ａ，１ｂ  レーザ光源
２，２ａ，２ｂ  ポリゴンミラー
３，３ａ，３ｂ  走査レンズ
４，４ａ，４ｂ  先端同期検知センサ
５，５ａ  走査面選択回路
６．６ａ  主走査位置ずれ記憶装置
７，７ａ，  位相変更回路
８，８ａ  変調駆動回路
１０  感光体
１１，１１ａ，１１ｂ  後端同期検知センサ
【図１】
2005208323.tif 000003
【図２】
2005208323.tif 000004
【図３】
2005208323.tif 000005
【図４】
2005208323.tif 000006
【図５】
2005208323.tif 000007
【図６】
2005208323.tif 000008
【図７】
2005208323.tif 000009
【図８】
2005208323.tif 000010
【図９】
2005208323.tif 000011
【図１０】
2005208323.tif 000012
【図１１】
2005208323.tif 000013